【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
並列に接続された第１の組の複数の容量素子であって、クロック信号を受けて順にポンピング動作することにより、供給される電源電圧よりも高い第１の高電圧を生成する第１の組の複数の容量素子と、
前記第１の組の複数の容量素子の内の予め定められた複数の容量素子を前記電源電圧でプリチャージする第１のプリチャージ回路と、
を少なくとも含むチャージポンプ回路。
【請求項２】
前記第１のプリチャージ回路は、
多段に設けられている前記第１の組の複数の容量素子のうち初段に設けられ且つ最初に昇圧される第１の容量素子を、前記電源電圧によりプリチャージする第１のプリチャージパスと、
前記第１の組の複数の容量素子の内の２段目以降に設けられた第２の容量素子を、前記電源電圧によりプリチャージする第２のプリチャージパスと、
を少なくとも含む請求項１に記載のチャージポンプ回路。
【請求項３】
前記第１のプリチャージ回路は、
多段に設けられている前記第１の組の複数の容量素子のうち初段に設けられ且つ最初に昇圧される第１の容量素子を、前記電源電圧によりプリチャージする第１のプリチャージパスと、
前記第１の組の複数の容量素子の内の２段目以降に設けられた前記第１の容量素子を除く他の複数の容量素子を順にプリチャージする後段プリチャージパスと、
を少なくとも含む請求項１に記載のチャージポンプ回路。
【請求項４】
前記第１のプリチャージパスは、
前記第１の容量素子に結合した第１のノードと、
前記第１のノードと電源電圧を供給する電源との間に設けられた第１のスイッチと、
を少なくとも含み、
前記第２のプリチャージパスは、
前記第２の容量素子に結合した第２のノードと、
前記第２のノードと前記電源との間に設けられた第２のスイッチと、
を少なくとも含む請求項２に記載のチャージポンプ回路。
【請求項５】
前記第１のノードと前記第２のノードとの間に設けられた第３のスイッチと、
前記第２のノードと出力端子との間に設けられた第４のスイッチと、
を更に含む請求項４に記載のチャージポンプ回路。
【請求項６】
第１のクロック及び第２のクロックを生成し、前記第１のクロック及び第２のクロックをそれぞれ対応する前記第１の容量素子及び前記第２の容量素子に順に供給するクロック生成部、
を更に含む請求項２、４または５に記載のチャージポンプ回路。
【請求項７】
並列に接続された第２の組の複数の容量素子であって、クロック信号を受けて順にポンピング動作することにより、供給される前記電源電圧よりも高い第２の高電圧を生成する第２の組の複数の容量素子と、
前記第２の組の複数の容量素子の内の予め定められた複数の容量素子を前記電源電圧でプリチャージする第２のプリチャージ回路と、
を更に含む請求項１から６のいずれか１項に記載のチャージポンプ回路。
【請求項８】
前記第１のプリチャージ回路は、
多段に設けられている前記第１の組の複数の容量素子のうち初段に設けられ且つ最初に昇圧される第１の容量素子を、前記電源電圧によりプリチャージする第１のプリチャージパスと、
前記第１の組の複数の容量素子の内の２段目以降に設けられた第２の容量素子を、前記電源電圧によりプリチャージする第２のプリチャージパスと、
を少なくとも含み、
前記第２のプリチャージ回路は、
多段に設けられている前記第２の組の複数の容量素子のうち初段に設けられ且つ最初に昇圧される第３の容量素子を、前記電源電圧によりプリチャージする第３のプリチャージパスと、
前記第２の組の複数の容量素子の内の２段目以降に設けられた第４の容量素子を、前記電源電圧によりプリチャージする第４のプリチャージパスと、
を少なくとも含む請求項７に記載のチャージポンプ回路。
【請求項９】
前記第１のプリチャージ回路は、
多段に設けられている前記第１の組の複数の容量素子のうち初段に設けられ且つ最初に昇圧される第１の容量素子を、前記電源電圧によりプリチャージする第１のプリチャージパスと、
前記第１の組の複数の容量素子の内の２段目以降に設けられた前記第１の容量素子を除く他の複数の容量素子を順にプリチャージする第１の後段プリチャージパスと、
を少なくとも含み、
前記第２のプリチャージ回路は、
多段に設けられている前記第２の組の複数の容量素子のうち初段に設けられ且つ最初に昇圧される第３の容量素子を、前記電源電圧によりプリチャージする第３のプリチャージパスと、
前記第２の組の複数の容量素子の内の２段目以降に設けられた前記第２の容量素子を除く他の複数の容量素子を順にプリチャージする第２の後段プリチャージパスと、
を少なくとも含む請求項７に記載のチャージポンプ回路。
【請求項１０】
前記第１のプリチャージパスは、
前記第１の容量素子に結合した第１のノードと、
前記第１のノードと電源電圧を供給する電源との間に設けられた第１のスイッチと、
を少なくとも含み、
前記第２のプリチャージパスは、
前記第２の容量素子に結合した第２のノードと、
前記第２のノードと前記電源との間に設けられた第２のスイッチと、
を少なくとも含み、
前記第３のプリチャージパスは、
前記第３の容量素子に結合した第３のノードと、
前記第３のノードと前記電源との間に設けられた第３のスイッチと、
を少なくとも含み、
前記第４のプリチャージパスは、
前記第４の容量素子に結合した第４のノードと、
前記第４のノードと前記電源との間に設けられた第４のスイッチと、
を少なくとも含む請求項８に記載のチャージポンプ回路。
【請求項１１】
第１のクロック及び第２のクロックを生成し、前記第１のクロック及び第２のクロックをそれぞれ対応する前記第１の容量素子及び前記第２の容量素子に順に供給すると共に、前記第１のクロック及び第２のクロックをそれぞれ対応する前記第３の容量素子及び前記第４の容量素子に順に供給するクロック生成部、
を更に含む請求項８または１０に記載のチャージポンプ回路。
【請求項１２】
並列に接続された第１の組の複数の容量素子であって、クロック信号を受けて順にポンピング動作することにより、供給される電源電圧よりも高い第１の高電圧を生成する第１の組の複数の容量素子を少なくとも含む第１のチャージポンプ部と、
並列に接続された第２の組の複数の容量素子であって、クロック信号を受けて順にポンピング動作することにより、前記電源電圧よりも高い第２の高電圧を生成する第２の組の複数の容量素子を少なくとも含む第２のチャージポンプ部と、
前記第１の組の複数の容量素子のうち最終段に設けられた第１の最終段容量素子と、前記第２の組の複数の容量素子のうち最終段に設けられた第２の最終段容量素子とを、キャパシタを介して接続する第３のチャージポンプ部と
を少なくとも含み、
前記第１のチャージポンプ部及び前記第２のチャージポンプ部の少なくとも一方は、
前記少なくとも一方に含まれる予め定められた複数の容量素子を前記電源電圧でプリチャージするプリチャージ回路を含むチャージポンプ回路。
【請求項１３】
前記プリチャージ回路は、
多段に設けられている前記第１の組の複数の容量素子のうち初段に設けられ且つ最初に昇圧される第１の容量素子を、前記電源電圧によりプリチャージする第１のプリチャージパスと、
前記第１の組の複数の容量素子の内の２段目以降に設けられた第２の容量素子を、前記電源電圧によりプリチャージする第２のプリチャージパスと、
を少なくとも含む請求項１２に記載のチャージポンプ回路。
【請求項１４】
第１のクロック及び第２のクロックを生成し、前記第１のクロック及び第２のクロックをそれぞれ対応する前記第１の容量素子及び前記第２の容量素子に順に供給するクロック生成部、
を更に含む請求項１２または１３に記載のチャージポンプ回路。
【請求項１５】
第１電源ラインと第１ノードとの間に接続された第１スイッチと、
前記第１ノードと第１クロック供給ノードとの間に接続された第１容量素子と、
前記第１ノードと第２ノードとの間に接続された第２スイッチと、
前記第１電源ラインと前記第２ノードとの間に接続された第３スイッチと、
前記第２ノードと第２クロック供給ノードとの間に接続された第２容量素子と、
前記第２ノードと第３ノードとの間に接続された第４スイッチと、
を少なくとも含むチャージポンプ回路。
【請求項１６】
前記第２容量素子と前記第２クロック供給ノードとの間に直列に接続された第５スイッチおよび第３容量素子の直列回路と、
前記第２容量素子および前記直列回路の接続ノードと第２電源ラインとの間に接続された第６スイッチと、
前記第１電源ラインと第４ノードとの間に接続された第７スイッチと、
前記第４ノードと前記第１クロック供給ノードとの間に接続された第４容量素子と、
前記第４ノードと、前記第５スイッチおよび前記第３容量素子の接続ノードとの間に接続された第８スイッチと、
前記第１電源ラインと、前記第５スイッチおよび前記第３容量素子の接続ノードとの間に接続された第９スイッチと、
を更に含む請求項１５に記載のチャージポンプ回路。
【請求項１７】
第１のクロック及び第２のクロックを生成し、前記第１のクロック及び第２のクロックをそれぞれ対応する前記第１および第２クロック供給ノードに順に供給するクロック生成部、
を更に含む請求項１５に記載のチャージポンプ回路。
【請求項１８】
前記第１および第２容量素子を前記第１電源ラインの電圧によりプリチャージする段階で、
前記第１および第３スイッチを電気的に導通し、前記第２および第４スイッチを電気的に非導通し、
前記クロック生成部が、前記第１および第２のクロック信号の電圧レベルを、前記第１および第２のクロック信号がそれぞれ対応して供給される前記第１容量素子及び前記第２容量素子を昇圧しない第１電圧レベルにし、
前記第１容量素子から前記第２容量素子へポンピングする段階で、
前記第１、第３、および第４スイッチを電気的に非導通し、前記第２スイッチを電気的に導通し、
前記クロック生成部が、前記第１のクロック信号の電圧レベルを、前記第１のクロック信号が供給される前記第１容量素子を昇圧する第２電圧レベルにするとともに、前記第２のクロック信号の電圧レベルを前記第１電圧レベルにし、
前記第２容量素子からディスチャージする段階で、
前記第１および第４スイッチを電気的に導通し、前記第２および第３スイッチを電気的に非導通し、
前記クロック生成部が、前記第１のクロック信号の電圧レベルを前記第１電圧レベルにするとともに、前記第２のクロック信号の電圧レベルを前記第２電圧レベルにする、
請求項１７に記載のチャージポンプ回路。
【請求項１９】
第１のクロック及び第２のクロックを生成し、前記第１のクロック及び第２のクロックをそれぞれ対応する前記第１および第２クロック供給ノードに順に供給するクロック生成部、を更に含み、
前記第１、第２、第３および第４容量素子を前記第１電源ラインの電圧によりプリチャージする段階で、
前記第１、第３、第６、第７、および第９スイッチを電気的に導通し、前記第２、第４、第５、および第８スイッチを電気的に非導通し、
前記クロック生成部が、前記第１および第２のクロック信号の電圧レベルを、前記第１および第２のクロック信号がそれぞれ対応して供給される前記第１容量素子乃至前記第４容量素子を昇圧しない第１電圧レベルにし、
前記第１容量素子から前記第２容量素子へポンピングすると共に、前記第４容量素子から前記第３容量素子へポンピングする段階で、
前記第１、第３、第４、第５、第７および第９スイッチを電気的に非導通し、前記第２、第６および第８スイッチを電気的に導通し、
前記クロック生成部が、前記第１のクロック信号の電圧レベルを、前記第１のクロック信号がそれぞれ供給される前記第１容量素子及び第４容量素子を昇圧する第２電圧レベルにするとともに、前記第２のクロック信号の電圧レベルを前記第１電圧レベルにし、
前記第２容量素子からディスチャージする段階で、
前記第１、第４、第５および第７スイッチを電気的に導通し、前記第２、第３、第６、第８および第９スイッチを電気的に非導通し、
前記クロック生成部が、前記第１のクロック信号の電圧レベルを前記第１電圧レベルにするとともに、前記第２のクロック信号の電圧レベルを前記第２電圧レベルにする、
請求項１６に記載のチャージポンプ回路。
【手続補正２】
【補正対象書類名】明細書
【補正対象項目名】００７２
【補正方法】変更
【補正の内容】
【００７２】
最初のプリチャージ状態の期間Ｔｐｒｅ１（時刻ｔ１〜ｔ２）においては、スイッチＳＷｄ１がＯＮになっているため、容量素子Ｃ１のノードＮａは電源電圧ＶＤＤにプリチャージされている。また、スイッチＳＷｄ２およびスイッチＳＷｔもＯＮになっているため、容量素子Ｃ２のノードＮｂも電源電圧ＶＤＤにプリチャージされている。なお、時刻ｔ５においては、ノードＮｂは、２Ｖｐｒｅ＋ＶＤＤのピーク電圧となる。そして、時刻ｔ５から時刻ｔ６の期間Ｔｄｉｓにおいては、ノードＮｂは、電圧ＶＰＰに維持されている。そして、時刻ｔ６以降においては、ノードＮｂは、電圧ＶＤＤに降下する。
【手続補正３】
【補正対象書類名】明細書
【補正対象項目名】００７３
【補正方法】変更
【補正の内容】
【００７３】
同様に、最初のプリチャージ状態の期間Ｔｐｒｅ１（時刻ｔ１〜ｔ２）においては、スイッチＳＷｄ１´がＯＮになっているため、容量素子Ｃ１´のノードＮａ１は電源電圧ＶＤＤにプリチャージされている。また、スイッチＳＷｄ２´もＯＮになっているため、容量素子Ｃ２´のノードＮｃも電源電圧ＶＤＤにプリチャージされている。なお、時刻ｔ５においては、ノードＮｃは、Ｖｐｒｅ＋ＶＤＤのピーク電圧となる。そして、時刻ｔ５から時刻ｔ６の期間Ｔｄｉｓにおいては、ノードＮｃは、電圧（ＶＰＰ＋ＶＤＤ）／２に維持されている。そして、時刻ｔ６以降においては、ノードＮｃは、電圧ＶＤＤに降下する。
【手続補正４】
【補正対象書類名】図面
【補正対象項目名】図５
【補正方法】変更
【補正の内容】
【図５】
2010119226.tif 000001